(57)【要約】【課題】キャップ成形時に、開封履歴明示バンドのフラップが多角形に変形せず、打栓が問題なくでき、開封履歴明示バンドによりバージン性が確保されるキャップを提供する。【解決手段】螺子係合により容器口部に固定されるキャップ本体と、キャップ本体のスカート部の下端にブリッジ７を介し接続された開封履歴明示バンド２とからなるキャップ１００であって、キャップ本体を廻して開栓するときに、容器口部に設けられ外方に盛り上がったロックリングにあたってブリッジが切断され、開封履歴明示バンドがキャップ本体からはずれるように、開封履歴明示バンドの下端部内側には、複数のフラップ８が薄肉の根元部を介して内方に突出する形で接続され、フラップの周方向中間部分に貫通孔９が設けられている。【選択図】図４
2014172640.tif 000002
【特許請求の範囲】
【請求項１】
螺子係合により容器口部に固定されるキャップ本体と、該キャップ本体のスカート部の下端にブリッジを介し接続された開封履歴明示バンドとからなるキャップであって、
前記キャップ本体を廻して開栓するときに、容器口部に設けられ外方に盛り上がったロックリングにあたって前記ブリッジが切断され、前記開封履歴明示バンドが前記キャップ本体からはずれるように、前記開封履歴明示バンドの下端部内側には、複数のフラップが薄肉の根元部を介して内方に突出する形で接続され、該フラップの周方向中間部分に貫通孔が設けられていることを特徴とするキャップ。
【請求項２】
前記フラップの端部と前記貫通孔との間の中央に、それぞれ前記ブリッジが、前記フラップの上方に設けられていることを特徴とする請求項１に記載のキャップ。
【請求項３】
前記ブリッジが、前記開封履歴明示バンドから上方に突き出た台座の上面に形成されていることを特徴とする請求項１または２に記載のキャップ。
【発明の詳細な説明】
【技術分野】
【０００１】
本発明は、キャップに関する。更に詳細には、キャップ本体の下部に接続して開封履歴明示バンドが設けられたキャップに関する。
【背景技術】
【０００２】
今日では、容器の内容物の品質保証やいたずら防止などのため、開封履歴を明示する開封履歴明示バンド（タンパーエビデンドバンドとも、呼ばれる。）を備えたキャップが広く使用されている。そして、この種のキャップは、開封したときには、キャップ本体と開封履歴明示バンドとの連結が切断され、これにより、キャップが開封された事実を明示するようになっている。
【０００３】
このようなキャップは、キャップ本体の下部に、破断可能なブリッジ（弱化部）を介して接続された開封履歴明示バンドとからなっていて、キャップ本体を開栓方向に旋回すると、開封履歴明示バンドとキャップ本体とを繋いでいるブリッジが破断され、開封履歴明示バンドが切り離され、開封履歴明示バンドが切り離されている事実により、キャップが開封されたという事実を認識できるのである。
【０００４】
例えば、キヤツプ本体の下端よりブリッジを介して開封履歴明示バンドを一体的に形成したキヤツプであって、瓶口の膨出部の下周面に係止するための先端に向けて先細りになる複数の舌片が、開封履歴明示バンド下端から折曲して連設されており、舌片はその先端部分の内外表面が平坦で、この平坦な先端部分に連続して、瓶口側の表面にヒール部が形成されて、キヤツプの瓶口着装時に、先端部分が瓶口の膨出部とキヤツプ側壁に挟まれ、ヒール部が瓶口の膨出部の下周面に係止するように設けられているキヤツプがある（特許文献１）。
【０００５】
また、内方、且つ、上方或いは水平方向を指向する複数のフラップが、所定の間隔で内面に周状に設けられた開封履歴明示バンドがある。このような開封履歴明示バンドを備えたキャップでは、容器口部に螺子固定されたキャップを開栓方向に旋回していくと、キャップ本体は上昇するが、開封履歴明示バンドのフラップの先端部分が容器のバンド係止用凸部の下側面に当接し、開封履歴明示バンドの上昇が制限され、さらにキャップ本体を回転することにより、キャップ本体と開封履歴明示バンドを連結しているブリッジが破断される。
【０００６】
この結果、容器口部から取り除かれたキャップ本体からは開封履歴明示バンドが切り離されることとなる。即ち、キャップ本体から開封履歴明示バンドが切り離されていることにより、キャップが容器口部から開封された事実が明示されるようになっている（例えば、特許文献２）。
【０００７】
公知文献を以下に示す。
【先行技術文献】
【特許文献】
【０００８】
【特許文献１】実公平５−１３７３５号公報
【特許文献２】特開２００４−２６８９５２号公報
【発明の概要】
【発明が解決しようとする課題】
【０００９】
このような、内面に周状に複数のフラップが設けられた開封履歴明示バンドがブリッジにより連結されているキャップは、内方でやや下向きに成形されたフラップが、容器口部に打栓されるとき、上向きに折り曲げられ、キャップが容器口部に係止される。
【００１０】
このような構造のため、フラップを数多く持たせると、個々のフラップは小さくなって強度が弱くなる。そのため、係止が外れやすくなり、開封履歴明示バンドが切り離されない恐れがある。フラップの数を少なくして、フラップに強度を持たせようとすると成形時に、開封履歴明示バンドが多角形に変形してしまい、打栓が難しくなってしまうという問題があった。
【００１１】
本発明は上記した事情に鑑みてなされたもので、キャップ成形時に、開封履歴明示バンドのフラップが多角形に変形せず、打栓が問題なくでき、開封履歴明示バンドによりバージン性が確保されるキャップを提供することを課題としている。
【課題を解決するための手段】
【００１２】
本発明の請求項１に係る発明は、螺子係合により容器口部に固定されるキャップ本体と、該キャップ本体のスカート部の下端にブリッジを介し接続された開封履歴明示バンドとからなるキャップであって、
前記キャップ本体を廻して開栓するときに、容器口部に設けられ外方に盛り上がったロックリングにあたって前記ブリッジが切断され、前記開封履歴明示バンドが前記キャップ本体からはずれるように、前記開封履歴明示バンドの下端部内側には、複数のフラップが薄肉の根元部を介して内方に突出する形で接続され、該フラップの周方向中間部分に貫通孔が設けられていることを特徴とするキャップである。
【００１３】
本発明のキャップは、以上のような構成であって、キャップ成形時に、開封履歴明示バンドのフラップが多角形に変形せず、打栓が問題なくでき、開封履歴明示バンドによりバージン性が確保される。
【００１４】
本発明の請求項２の発明は、前記フラップの端部と前記貫通孔との間の中央に、それぞれ前記ブリッジが、前記フラップの上方に設けられていることを特徴とする請求項１に記載のキャップである。
【００１５】
本発明は、フラップの端部と貫通孔との間の中央に、それぞれブリッジが、フラップの上方の開封履歴明示バンドに設けられているので、開封履歴明示バンドがしっかりキャップ本体に固定され、また、開栓時に容易にブリッジが切断される。
【００１６】
本発明の請求項３の発明は、前記フラップの端部と前記貫通孔との間の中央に、それぞれ前記ブリッジが、前記フラップの上方に設けられていることを特徴とする請求項１に記載のキャップである。
【００１７】
本発明はさらに、ブリッジが、開封履歴明示バンドから上方に突き出た台座の上面に形成されているので、開栓時に抵抗なく容易に切断される。
【発明の効果】
【００１８】
本発明のキャップは、キャップ成形時に、開封履歴明示バンドのフラップが多角形に変形せず、打栓が問題なくでき、開封履歴明示バンドによりバージン性が確保される。
【図面の簡単な説明】
【００１９】
【図１】本発明のキャップの一例の正面図である。
【図２】図１の点線で囲まれた部分Ａの拡大図である。
【図３】本発明のキャップの一例の台座部分を斜視した拡大図である。
【図４】図１のＢ−Ｂ断面図である。
【図５】本発明のキャップの一例のフラップの貫通孔を通る縦断面図である。
【図６】本発明のキャップの一例のフラップ部分の拡大図である。
【図７】本発明のキャップの一例を容器口部に打栓した状態を示した断面図である。
【図８】本発明のキャップの一例の側面図である。
【発明を実施するための形態】
【００２０】
以下本発明を実施するための形態につき説明する。
図１は、本発明のキャップの一例の正面図、図２は、図１の点線で囲まれた部分Ａの拡大図、図３は、本発明のキャップの一例の台座部分を斜視した拡大図、図４は、図１のＢ−Ｂ断面図である。
【００２１】
本発明のキャップ１００は、図１のように、キャップ本体１と、筒形状の開封履歴明示バンド２とから形成されている。キャップ本体１は、頂板部３と、頂板部３の周縁部から垂下しているスカート部４とから成っている。
【００２２】
そして、スカート部４の外周面には、滑り止め用のローレット５が形成されており、手で廻して、キャップ本体１の閉栓方向及び開栓方向への旋回をスムーズに行えるようになっている。
【００２３】
図２の部分拡大図、図３の拡大斜視図のように、キャップ本体１のスカート部４と開封履歴明示バンド２とは、開封履歴明示バンド２から上方に突き出た台座６の上面に形成されているブリッジ７を介して接続されている。そして、開封履歴明示バンド２の下端部内側には、複数のフラップ８が、内方に突出する形で接続されている。
【００２４】
フラップ８は、図４の横断面図のように、本例では、間隔をあけて４つ設けられている。そして、各フラップ８の周方向中間部分に貫通孔９が設けられている。また、フラップ８の端部と貫通孔９との間の中央に、それぞれ、ブリッジ７が、当該フラップ８の上方、開封履歴明示バンド２の上方に突き出た台座６の上面に形成されている。
【００２５】
図５は、本発明のキャップの一例のフラップの貫通孔を通る縦断面図、図６は、本発明のキャップの一例のフラップ部分の拡大図である。
【００２６】
図５の縦断面図、図６の拡大図のように、フラップ８は、開封履歴明示バンド２下端部内側に薄肉の根元部を介して内方に突出する形で接続されている。フラップ８に設けられた貫通孔９は、フラップ８の先端側では、下が広く、上が狭くなるように設けられている。
【００２７】
キャップ本体１のスカート部４の内側には、内容物を収納する容器の容器口部に螺子係合する雌螺子１０が設けられている。また、頂板部３の下面には、容器口部に内接するインナーリング１１と、容器口部上面に接するコンタクトリング１２が設けられている。
【００２８】
図７は、本発明のキャップの一例を容器口部に打栓した状態を示した断面図、図８は、本発明のキャップの一例の側面図である。
【００２９】
図７のように、キャップ１００を容器２００の容器口部１３に打栓すると、雌螺子１０は、容器２００に設けられた雄螺子１４と螺子係合する。このとき、インナーリング１１は容器口部１３の先端部分の内側に内接され、また、コンタクトリング１２は容器口部１３の上面に接する。これにより、容器２００が液密に封止される。
【００３０】
開封履歴明示バンド２のフラップ８は、打栓したときに、容器口部１３の雄螺子１４の下方に設けられた外方に盛り上がったロックリング１５に当たって、薄肉の根元部で折り曲げられて、上方に向けられ、ロックリング１５の下に位置するようになる。
【００３１】
キャップ１００の左側面には、図８のように、ブリッジ７を設ける台座６の代わりに、キャップ本体１から下方に突き出た本体側突起１６と、開封履歴明示バンド２に設けられたバンド側溝１7が設けられ、互いに嵌りあっている。
【００３２】
そして、本体側突起１６とバンド側溝１７の間にブリッジ７が設けられ、キャップ本体１と開封履歴明示バンド２を接続している。本体側突起１６とバンド側溝１７は、開封履歴明示バンド２の対向する位置に1対で設けられている。そのため、右側面も左側面と同じになっている。
【００３３】
本体側突起１６とバンド側溝１７の右側は、傾斜して設けられていて、開栓するときにキャップ本体１と開封履歴明示バンド２が離れるようにして、ブリッジ７の切断を補助する。また、打栓時には、本体側突起１６がバンド側溝１７に嵌っているので、キャップ本体１と開封履歴明示バンド２がずれることがなく、ブリッジ７が切断するのを防止している。
【００３４】
本例のキャップ１００は、ポリエチレンやポリプロピレンなどの熱可塑性樹脂からなっている。これらの樹脂を用いて、インジェクション成形によって製造される。そして、容器２００の容器口部１３に打栓されて取り付けられ使用される。
【００３５】
キャップ成形時に、フラップ８の周方向中間部分に貫通孔９が設けられているので、開封履歴明示バンド２のフラップ８が多角形に変形することはなく、容器口部１３へ打栓によって取り付けるのに問題が生ずることがない。
【００３６】
また、打栓時には、本体側突起１６がバンド側溝１７に嵌っているので、キャップ本体１と開封履歴明示バンド２がずれることがなく、ブリッジ７が切断するのを防止している。そして、打栓され、容器口部１３に取り付けられたキャップ１００は、キャップ本体１と開封履歴明示バンド２がブリッジ７により接続しているので、未開封であることが確認できる。
【００３７】
開封するために、キャップ１００を開栓方向に回すと、雌螺子１０と雄螺子１４が螺合しているので、キャップ本体１は容器口部１３を上に移動していくが、開封履歴明示バンド２は、フラップ８が容器２００のロックリング１５の下面に当たり、上に移動するのが妨げられる。
【００３８】
そのため、キャップ本体１と開封履歴明示バンド２は離れていき、ブリッジ７が切断される。このとき、ブリッジ７は、開封履歴明示バンド２から上方に突き出た台座６の上面に形成されているので、抵抗がなく容易に切断される。
【００３９】
また、ブリッジ７は、フラップ８の端部と貫通孔９との間の中央に、それぞれ、設けられていて、この点もブリッジ７の切断を容易にしている。更には、本体側突起１６とバンド側溝１７の右側が傾斜して設けられていて、開栓するときに回すと、キャップ本体１と開封履歴明示バンド２が離れるようになり、ブリッジ７の切断を補助している。
【００４０】
このように、開封して、キャップ本体１と開封履歴明示バンド２が分離すると、開封履歴明示バンド２は容器口部１３のネックリングの上面に移動する。このように、開封履歴
明示バンド２が移動したので、再度、キャップ本体１を容器口部１３に螺子係止させても、キャップ本体１と開封履歴明示バンド２は離れたままになり、開封されたことが容易に確認できる。
【００４１】
以上のように、本例のキャップ１００は、キャップ成形時に、開封履歴明示バンド２のフラップ８が多角形に変形せず、打栓が問題なくできる。また、開封すると、容器口部１３に開封履歴明示バンド２が残るが、開封履歴明示バンド２がキャップ本体１から外れているので開封されたことが容易に確認でき、開封履歴明示バンド２によりバージン性が確保される。
【００４２】
本発明のキャップは、プラスチックボトルやガラス瓶、あるいは液体用紙容器などに使用することが出来る。これらの容器として、改ざん防止の必要があり、開封履歴明示バンドが容器口部に残る用途に使用できる。
【符号の説明】
【００４３】
１００・・・キャップ
２００・・・容器
１・・・キャップ本体
２・・・開封履歴明示バンド
３・・・頂板部
４・・・スカート部
５・・・ローレット
６・・・台座
７・・・ブリッジ
８・・・フラップ
９・・・貫通孔
１０・・・雌螺子
１１・・・インナーリング
１２・・・コンタクトリング
１３・・・容器口部
１４・・・雄螺子
１５・・・ロックリング
１６・・・本体側突起
１７・・・バンド側溝
【図１】
2014172640.tif 000003
【図２】
2014172640.tif 000004
【図３】
2014172640.tif 000005
【図４】
2014172640.tif 000006
【図５】
2014172640.tif 000007
【図６】
2014172640.tif 000008
【図７】
2014172640.tif 000009
【図８】
2014172640.tif 000010